(57)【要約】【課題】例えばインターネット等のネットワーク経由で録画予約を行うこと等を可能とする録画再生装置を提供する。【解決手段】録画再生装置１００は、利用者が設定した録画予約に基いて放送番組を受信し、記録媒体であるディスクＡに格納するものであり、その録画予約情報はタイマーマイコン部１０９に格納される。そして、ＭＰＵ１０５は、Ｗｅｂサーバプログラムを実行制御して、パーソナルコンピュータ（ＰＣ）２００上で動作するＷｅｂブラウザプログラムが要求する、タイマーマイコン部１０９に格納された録画予約一覧の閲覧や新規登録、変更、削除などをインターネット経由で受け付ける。【選択図】    図１
2004186826.tif 000002
【特許請求の範囲】
【請求項１】
ネットワークを介して通信するネットワーク通信機能を有する録画再生装置において、
放送番組を録画予約するための各種設定項目を含む録画予約データを格納する格納手段と、
前記格納手段に格納された録画予約データを一覧表示するための録画予約一覧データの転送要求を前記ネットワークを介して受け付ける受付手段と、
前記受付手段で前記転送要求が受け付けられた場合に、前記格納手段に格納された録画予約データを取得して前記録画予約一覧データを作成する予約一覧作成手段と、
前記予約一覧作成手段により作成された前記録画予約一覧データを前記ネットワークを介して返送する応答手段と
を具備することを特徴とする録画再生装置。
【請求項２】
前記予約一覧作成手段は、前記録画予約一覧データをＨＴＭＬ情報として作成し、
前記応答手段は、前記録画予約一覧データをＨＴＴＰに準拠した通信手順で返送することを特徴とする請求項１記載の録画再生装置。
【請求項３】
ネットワークを介して通信するネットワーク通信機能を有する録画再生装置において、
放送番組を録画予約するための各種設定項目を含む録画予約データを前記ネットワークを介して受け付ける受付手段と、
前記受付手段で受け付けられた前記録画予約データを格納する格納手段と
を具備することを特徴とする録画再生装置。
【請求項４】
前記格納手段に前記録画予約データが格納された際、録画予約の登録完了を示す通知を前記ネットワークを介して返送する応答手段をさらに具備することを特徴とする請求項３記載の録画再生装置。
【請求項５】
前記応答手段は、前記登録完了通知をＨＴＴＰに準拠した通信手順で返送することを特徴とする請求項４記載の録画再生装置。
【請求項６】
ネットワークを介して通信するネットワーク通信機能を有する録画再生装置において、
放送番組を録画予約するための各種設定項目を含む録画予約データを格納する格納手段と、
前記格納手段に格納された録画予約データの変更要求を前記ネットワークを介して受け付ける第１の受付手段と、
前記第１の受付手段で前記変更要求が受け付けられた場合に、前記格納手段に格納された当該変更要求に対応する録画予約データを取得して前記ネットワーク経由で返送する第１の応答手段と、
前記第１の応答手段で返送されて任意の変更が施された前記録画予約データを受け付ける第２の受付手段と、
前記格納手段に格納された変更前の録画予約データを前記第２の受付手段で受け付けられた前記録画予約データに更新する更新手段と
を具備することを特徴とする録画再生装置。
【請求項７】
前記第１の応答手段は、前記録画予約データをＨＴＴＰに準拠した通信手順で返送することを特徴とする請求項６記載の録画再生装置。
【請求項８】
前記格納手段に格納された前記録画予約データが更新された際、録画予約の変更完了を示す通知を前記ネットワークを介して返送する第２の応答手段をさらに具備することを特徴とする請求項６または７記載の録画再生装置。
【請求項９】
前記第２の応答手段は、前記変更完了通知をＨＴＴＰに準拠した通信手順で返送することを特徴とする請求項８記載の録画再生装置。
【請求項１０】
ネットワークを介して通信するネットワーク通信機能を有する録画再生装置において、
放送番組を録画予約するための各種設定項目を含む録画予約データを格納する格納手段と、
前記格納手段に格納された録画予約データの削除要求を前記ネットワークを介して受け付ける受付手段と、
前記受付手段で前記削除要求が受け付けられた場合に、前記格納手段に格納された当該削除要求に対応する録画予約データを削除する削除手段と
を具備することを特徴とする録画再生装置。
【請求項１１】
前記格納手段に格納された前記録画予約データが削除された際、録画予約の削除完了を示す通知を前記ネットワークを介して返送する応答手段をさらに具備することを特徴とする請求項１０記載の録画再生装置。
【請求項１２】
前記応答手段は、前記削除完了通知をＨＴＴＰに準拠した通信手順で返送することを特徴とする請求項１１記載の録画再生装置。
【請求項１３】
ネットワークを介して通信するネットワーク通信機能を有し、放送番組を録画予約するための各種設定項目を含む録画予約データを格納する格納手段を備えた録画再生装置の録画予約管理方法であって、
前記格納手段に格納された録画予約データを一覧表示するための録画予約一覧データの転送要求を前記ネットワークを介して受け付ける受付ステップと、
前記受付ステップで前記転送要求が受け付けられた場合に、前記格納手段に格納された録画予約データを取得して前記録画予約一覧データを作成する予約一覧作成ステップと、
前記予約一覧作成ステップにより作成された前記録画予約一覧データを前記ネットワークを介して返送する応答ステップと
を具備することを特徴とする録画予約管理方法。
【請求項１４】
ネットワークを介して通信するネットワーク通信機能を有する録画再生装置の録画予約管理方法であって、
放送番組を録画予約するための各種設定項目を含む録画予約データを前記ネットワークを介して受け付ける受付ステップと、
前記受付ステップで受け付けられた前記録画予約データを格納する格納ステップと
を具備することを特徴とする録画予約管理方法。
【請求項１５】
ネットワークを介して通信するネットワーク通信機能を有し、放送番組を録画予約するための各種設定項目を含む録画予約データを格納する格納手段を備えた録画再生装置の録画予約管理方法であって、
前記格納手段に格納された録画予約データの変更要求を前記ネットワークを介して受け付ける第１の受付ステップと、
前記第１の受付ステップで前記変更要求が受け付けられた場合に、前記格納手段に格納された当該変更要求に対応する録画予約データを取得して前記ネットワーク経由で返送する応答ステップと、
前記応答ステップで返送されて任意の変更が施された前記録画予約データを受け付ける第２の受付ステップと、
前記格納手段に格納された変更前の録画予約データを前記第２の受付ステップで受け付けられた前記録画予約データに更新する更新手段と
を具備することを特徴とする録画予約管理方法。
【請求項１６】
ネットワークを介して通信するネットワーク通信機能を有し、放送番組を録画予約するための各種設定項目を含む録画予約データを格納する格納手段を備えた録画再生装置の録画予約管理方法であって、
前記格納手段に格納された録画予約データの削除要求を前記ネットワークを介して受け付ける受付ステップと、
前記受付ステップで前記削除要求が受け付けられた場合に、前記格納手段に格納された当該削除要求に対応する録画予約データを削除する削除ステップと
を具備することを特徴とする録画予約管理方法。
【発明の詳細な説明】
【０００１】
【発明の属する技術分野】
この発明は、放送番組を受信して磁気ディスク等の記録媒体に記録する録画再生装置の録画予約技術に関する。
【０００２】
【従来の技術】
近年、予めチャンネルや開始終了日時の設定を受け、その設定に基づいて放送番組を受信し、記録媒体に記録する録画再生装置が広く普及している。また、この種の録画再生装置では、リモートコントローラ等によって遠隔操作を行えるようになっているのが一般的である（例えば特許文献１）。
【０００３】
リモートコントローラを用いて放送番組を録画予約する場合、利用者は、録画再生装置に接続されたモニタを参照しながら作業する。より具体的には、どの放送番組が録画予約済みかをモニタに一覧表示させて確認したり、新たに録画予約を追加あるいは既存の録画予約を変更または削除するといったことをモニタ表示に従って実行する。
【０００４】
【特許文献１】
特開平８−３０６０９７号公報
【０００５】
【発明が解決しようとする課題】
ところで、最近では、ネットワーク環境や無線通信環境等、いわゆるインフラが整備されてきたのに伴い、ＰＤＡ（Ｐｅｒｓｏｎａｌ  Ｄｉｇｉｔａｌ  Ａｓｓｉｓｔａｎｔ）などと称される携帯端末を用いたモバイルコンピューティングが普通に行われるようになってきている。このような状況から、録画再生装置の録画予約を外出先や移動中でも行えるようにして欲しいといった要求が強まっている。
【０００６】
しかしながら、前述したリモートコントローラを用いた遠隔操作は、録画再生装置が設置された室内、つまり非常に狭い範囲を前提とするものであり、外出先や移動中といった広範囲の遠隔操作を可能とするものではない。
【０００７】
この発明は、このような事情を考慮してなされたものであり、例えばインターネット等のネットワーク経由で録画予約を行うこと等を可能とする録画再生装置および録画予約管理方法を提供することを目的とする。
【０００８】
【課題を解決するための手段】
前述の目的を達成するために、この発明は、ネットワークを介して通信するネットワーク通信機能を有する録画再生装置において、放送番組を録画予約するための各種設定項目を含む録画予約データを格納する格納手段と、前記格納手段に格納された録画予約データを一覧表示するための録画予約一覧データの転送要求を前記ネットワークを介して受け付ける受付手段と、前記受付手段で前記転送要求が受け付けられた場合に、前記格納手段に格納された録画予約データを取得して前記録画予約一覧データを作成する予約一覧作成手段と、前記予約一覧作成手段により作成された前記録画予約一覧データを前記ネットワークを介して返送する応答手段とを具備することを特徴とする。
【０００９】
また、この発明は、ネットワークを介して通信するネットワーク通信機能を有する録画再生装置において、放送番組を録画予約するための各種設定項目を含む録画予約データを前記ネットワークを介して受け付ける受付手段と、前記受付手段で受け付けられた前記録画予約データを格納する格納手段とを具備することを特徴とする。
【００１０】
また、この発明は、ネットワークを介して通信するネットワーク通信機能を有する録画再生装置において、放送番組を録画予約するための各種設定項目を含む録画予約データを格納する格納手段と、前記格納手段に格納された録画予約データの変更要求を前記ネットワークを介して受け付ける第１の受付手段と、前記第１の受付手段で前記変更要求が受け付けられた場合に、前記格納手段に格納された当該変更要求に対応する録画予約データを取得して前記ネットワーク経由で返送する第１の応答手段と、前記第１の応答手段で返送されて任意の変更が施された前記録画予約データを受け付ける第２の受付手段と、前記格納手段に格納された変更前の録画予約データを前記第２の受付手段で受け付けられた前記録画予約データに更新する更新手段とを具備することを特徴とする。
【００１１】
また、この発明は、ネットワークを介して通信するネットワーク通信機能を有する録画再生装置において、放送番組を録画予約するための各種設定項目を含む録画予約データを格納する格納手段と、前記格納手段に格納された録画予約データの削除要求を前記ネットワークを介して受け付ける受付手段と、前記受付手段で前記削除要求が受け付けられた場合に、前記格納手段に格納された当該削除要求に対応する録画予約データを削除する削除手段とを具備することを特徴とする。
【００１２】
また、この発明は、ネットワークを介して通信するネットワーク通信機能を有し、放送番組を録画予約するための各種設定項目を含む録画予約データを格納する格納手段を備えた録画再生装置の録画予約管理方法であって、前記格納手段に格納された録画予約データを一覧表示するための録画予約一覧データの転送要求を前記ネットワークを介して受け付ける受付ステップと、前記受付ステップで前記転送要求が受け付けられた場合に、前記格納手段に格納された録画予約データを取得して前記録画予約一覧データを作成する予約一覧作成ステップと、前記予約一覧作成ステップにより作成された前記録画予約一覧データを前記ネットワークを介して返送する応答ステップとを具備することを特徴とする。
【００１３】
また、この発明は、ネットワークを介して通信するネットワーク通信機能を有する録画再生装置の録画予約管理方法であって、放送番組を録画予約するための各種設定項目を含む録画予約データを前記ネットワークを介して受け付ける受付ステップと、前記受付ステップで受け付けられた前記録画予約データを格納する格納ステップとを具備することを特徴とする。
【００１４】
また、この発明は、ネットワークを介して通信するネットワーク通信機能を有し、放送番組を録画予約するための各種設定項目を含む録画予約データを格納する格納手段を備えた録画再生装置の録画予約管理方法であって、前記格納手段に格納された録画予約データの変更要求を前記ネットワークを介して受け付ける第１の受付ステップと、前記第１の受付ステップで前記変更要求が受け付けられた場合に、前記格納手段に格納された当該変更要求に対応する録画予約データを取得して前記ネットワーク経由で返送する応答ステップと、前記応答ステップで返送された後に任意の変更が施された前記録画予約データを受け付ける第２の受付ステップと、前記格納手段に格納された変更前の録画予約データを前記第２の受付ステップで受け付けられた前記録画予約データに更新する更新手段とを具備することを特徴とする。
【００１５】
また、この発明は、ネットワークを介して通信するネットワーク通信機能を有し、放送番組を録画予約するための各種設定項目を含む録画予約データを格納する格納手段を備えた録画再生装置の録画予約管理方法であって、前記格納手段に格納された録画予約データの削除要求を前記ネットワークを介して受け付ける受付ステップと、前記受付ステップで前記削除要求が受け付けられた場合に、前記格納手段に格納された当該削除要求に対応する録画予約データを削除する削除ステップとを具備することを特徴とする。
【００１６】
この発明の録画再生装置および録画予約管理方法においては、放送番組を録画予約するための各種設定項目を含む録画予約データを、例えばＨＴＭＬ情報に組み込んでＨＴＴＰに準拠した通信手順で送受信する仕組みを具備するため、標準的なソフトウェアであるＷｅｂブラウザプログラムがインストールされた携帯端末を用いて、インターネット等のネットワーク経由で録画予約一覧の閲覧や録画予約の新規登録・変更・削除を行うことを可能とする。
【００１７】
【発明の実施の形態】
以下、図面を参照してこの発明の実施形態を説明する。
【００１８】
（第１実施形態）
まず、この発明の第１実施形態について説明する。
【００１９】
図１は、この発明の実施形態に係る録画再生装置の機器構成を示す図である。
【００２０】
この録画再生装置１００は、利用者が設定した録画予約に基いて放送番組を受信し、圧縮符号化してＨＤＤ（Ｈａｒｄ  Ｄｉｓｋ  Ｄｒｉｖｅ）やＤＶＤ（Ｄｉｇｉｔａｌ  ＶｅｒｓａｔｉｌｅＤｉｓｋ）等の記録媒体に記録するものであり、図１に示すように、ＡＶ入力部１０１、ＴＶチューナ１０２、エンコーダ部１０３、ディスクドライブ部１０４、ＭＰＵ１０５、デコーダ部１０６、ＡＶ出力部１０７、表示部１０８、タイマーマイコン部１０９、ユーザ操作入力部１１０、メモリ１１１および通信制御部１１２を有している。
【００２１】
ＡＶ入力部１０１は、例えばビデオカメラや他の録画再生装置などから映像データを入力するものであり、一方、ＴＶチューナ１０２は、複数のチャンネルの中から所望のチャンネルを選択して放送番組を受信するものである。そして、エンコーダ部１０３は、このＡＶ入力部１０１により入力された映像データやＴＶチューナ１０２により受信された放送番組データを例えばＭＰＥＧ−２フォーマットで圧縮符号化するものである。なお、ここでは、この入力部１０１により入力された映像データとＴＶチューナ１０２により受信された放送番組データとの双方を便宜上放送番組データと呼ぶことにする。
【００２２】
このエンコーダ部１０３で圧縮符号化された放送番組データは、ディスクドライブ部１０４でＤＶＤ−ＲＡＭやＤＶＤ−Ｒ、あるいはＨＤＤディスクなどの記録媒体であるディスクＡに格納される。ディスクドライブ部１０４は、一時記憶部１０４１とディスクドライブ１０４２とを備えており、一時記憶部１０４１をバッファとして利用しながら、ディスクドライブ１０４２が、取り外し自在に装着されるディスクＡに対するアクセスを実行する。
【００２３】
ＭＰＵ１０５は、この録画再生装置１００全体の制御を司り、前述した放送番組の受信、圧縮符号化および記憶媒体への格納、つまり録画処理のほか、後述する再生処理や通信処理等、すべての処理を統合的に制御する。
【００２４】
デコーダ部１０６は、ディスクドライブ部１０４によって読み出されたディスクＡ上の放送番組データを復号するものであり、デコーダ部１０６により復号された放送番組データは、ＡＶ出力部１０７から例えば他の録画再生装置に出力されたり、ＭＰＵ１０５を介して表示部１０８に渡され、外部接続されるＴＶモニタなどに表示される。
【００２５】
タイマーマイコン部１０９は、独自の電源ユニットをもつ時計モジュールであるとともに、ユーザ操作入力部１１０から入力されるユーザの操作から命令コードを生成してＭＰＵ１０５に供給するコントローラとして動作する。また、このタイマーマイコン部１０９は、利用者が設定した録画予約に関する情報（録画予約情報）を格納するレジスタを有している。
【００２６】
ユーザ操作入力部１１０は、例えば録画再生装置１００の筐体側面に設けられるスイッチ群などであり、いずれかのスイッチが操作されたときに、その旨をタイマーマイコン部１０９に通知する。
【００２７】
メモリ１１１は、この録画再生装置１００の主記憶となるメモリデバイスであり、ＭＰＵ１０５によって実行されるプログラムやこのプログラムで用いられるデータを格納する。そして、通信制御部１１２は、例えばインターネットＢ経由でパーソナルコンピュータ（ＰＣ）２００とデータを送受信するための通信制御を司るものである。
【００２８】
図２は、この録画再生装置１００の録画予約管理に関する機能ブロックを示す図である。
【００２９】
この録画再生装置１００では、ＰＣ２００を使ってインターネットＢ経由で録画予約一覧を閲覧可能とするために、ＭＰＵ１０５が、Ｗｅｂサーバプログラム１０と録画予約アプリケーションプログラム１１とを実行制御する。
【００３０】
Ｗｅｂサーバプログラム１０は、ＰＣ２００上で動作するＷｅｂブラウザプログラムとの間で通信を行うプログラムであり、Ｗｅｂブラウザプログラムからの要求を通信制御部１１２を介して受け付けるとともに、その要求に対応する情報をＨＴＭＬ情報として通信制御部１１２を介して返送する。この要求は、Ｗｅｂブラウザプログラムが所定のＵＲＬを指定して録画再生装置１００にアクセスすることによって受け付けられる。
【００３１】
一方、録画予約アプリケーションプログラム１１は、Ｗｅｂサーバプログラム１０がＷｅｂブラウザプログラムに返送するＨＴＭＬ情報を作成するプログラムであり、具体的には、タイマーマイコン部１０９に格納された録画予約情報１２を読み出し、その読み出した録画予約情報を一覧表示するためのＨＴＭＬ情報を作成する。タイマーマイコン部１０９に格納された録画予約情報１２には、開始終了日時とチャンネルといった放送番組を特定するための項目のほか、画質や音質といった録画条件を設定するための項目も含まれている。
【００３２】
つまり、この録画再生装置１００によれば、図３に示すように、例えば外出先や移動中であっても、ＰＣ２００に標準的に装備されるＷｅｂブラウザプログラム２０を使って、録画予約一覧取得要求を送り（図３の（１））、かつ、この要求に応答して返送される録画予約一覧を閲覧すること（図３の（２））ができるようになる。図４は、録画予約アプリケーションプログラム１１が作成してＷｅｂサーバプログラム１０が返送し、Ｗｅｂブラウザプログラム２０がＰＣ２００上で表示する録画予約一覧を例示する図であり、利用者は、この画面を参照することにより、現在の録画予約状況を随時に確認することが可能となる。
【００３３】
図５は、この第１実施形態における録画再生装置１００の録画予約管理に関する動作手順を示すフローチャートである。
【００３４】
Ｗｅｂサーバプログラム１０は、まず、Ｗｅｂブラウザプログラム２０からの録画予約一覧取得要求を受け付ける（ステップＡ１）。そうすると、録画予約アプリケーションプログラム１１が、タイマーマイコン部１０９に格納された録画予約情報１２を読み出し（ステップＡ２）、録画予約一覧表示用のＨＴＭＬ情報を作成する。そして、Ｗｅｂサーバプログラム１０は、録画予約アプリケーションプログラム１１が作成したＨＴＭＬ情報、つまり録画予約一覧をＷｅｂブラウザプログラム２０に返送する（ステップＡ３）。
【００３５】
このように、この録画再生装置１００は、インターネットＢ経由での録画予約一覧の閲覧を受け付け可能とする。
【００３６】
（第２実施形態）
次に、この発明の第２実施形態について説明する。
【００３７】
この第２実施形態の録画再生装置１００は、前述の第１実施形態で説明した録画予約一覧の閲覧に加えて、さらに録画予約の新規登録および変更を受け付け可能とする。つまり、図６に示すように、ＰＣ２００に標準的に装備されるＷｅｂブラウザプログラム２０を使って、例えば外出先や移動中であっても、録画予約情報を送信すること（図６の（３））ができるようにする。
【００３８】
いま、ＰＣ２００のＷｅｂブラウザプログラム２０は、図４に示した画面を表示中であるものと想定する。ここで、画面右上の登録ボタンが選択されると、録画予約の新規登録を行う旨の要求がＷｅｂブラウザプログラム２０からＷｅｂサーバプログラム１０に送信される。一方、この要求をＷｅｂサーバプログラム１０が受け取ると、録画予約情報として必要な項目の入力画面を表示するためのＨＴＭＬ情報を録画予約アプリケーションプログラム１１が作成する。このＨＴＭＬ情報は、Ｗｅｂサーバプログラム１０によってＷｅｂブラウザプログラム２０に返送されて、ＰＣ２００上に図７に示すような画面が表示される。
【００３９】
図７には、録画予約に必要な項目が入力された後の状態が示されており、この入力を終えると、利用者は、画面右上のＯＫボタンを選択する。そうすると、この画面上で入力された録画予約情報がＷｅｂブラウザプログラム２０からＷｅｂサーバプログラム１０に送信され、録画予約アプリケーションプログラム１１によってタイマーマイコン部１０９に格納される。また、録画予約アプリケーションプログラム１１は、このタイマーマイコン部１０９への格納が終了した際、録画予約登録完了を通知するために、当該録画予約を含んだ録画予約一覧を表示するためのＨＴＭＬ情報を作成し、Ｗｅｂサーバプログラム１０を介してＷｅｂブラウザプログラム２０に返送する。図８は、この時にＰＣ２００に表示される画面を例示する図である。
【００４０】
一方、図４に示した画面を表示中、例えば予約番号１番の録画予約を変更しようとした場合には、利用者は、この行を指定した状態で画面右上の変更ボタンを選択する。そうすると、その予約番号が付加された変更要求がＷｅｂブラウザプログラム２０からＷｅｂサーバプログラム１０に送信される。そして、録画予約アプリケーションプログラム１１は、その番号に対応する録画予約情報１２をタイマーマイコン部１０９から読み出し、その録画予約情報が組み込まれた（図７のレイアウトの）画面を表示するためのＨＴＭＬ情報作成する。このＨＴＭＬ情報は、Ｗｅｂサーバプログラム１０を介してＷｅｂブラウザプログラム２０に返送され、ＰＣ２００上で表示される。
【００４１】
以下、利用者は、この画面上で所望の変更を施した後、画面右上のＯＫボタンを選択する。そうすると、この画面上で変更された録画予約情報がＷｅｂブラウザプログラム２０からＷｅｂサーバプログラム１０に送信され、録画予約アプリケーションプログラム１１によって変更前の録画予約情報と置き換えるべくタイマーマイコン部１０９に格納される。また、録画予約アプリケーションプログラム１１は、このタイマーマイコン部１０９への格納が終了した際、録画予約変更完了を通知するために、当該録画予約を含んだ録画予約一覧を表示するためのＨＴＭＬ情報を作成し、Ｗｅｂサーバプログラム１０を介してＷｅｂブラウザプログラム２０に返送する。
【００４２】
図９は、この第２実施形態における録画再生装置１００の録画予約管理に関する動作手順を示すフローチャートである。
【００４３】
Ｗｅｂサーバプログラム１０は、まず、Ｗｅｂブラウザプログラム２０からの録画予約登録・変更要求を受け付ける（ステップＢ１）。もし、これが登録要求であった場合（ステップＢ２のＹＥＳ）、録画予約アプリケーションプログラム１１は、録画予約登録用の画面を作成してＷｅｂサーバプログラム１０経由でＷｅｂブラウザプログラム２０に返送する（ステップＢ３）。
【００４４】
その後、Ｗｅｂブラウザプログラム２０からの新規の録画予約情報をＷｅｂサーバプログラム１０が受け付けると（ステップＢ４）、録画予約アプリケーションプログラム１１は、この受け付けた録画予約情報をタイマーマイコン部１０９に格納し（ステップＢ５）、その録画予約登録完了をＷｅｂサーバプログラム１０経由でＷｅｂブラウザプログラム２０に通知する（ステップＢ６）。
【００４５】
一方、変更要求であった場合（ステップＢ２のＮＯ）、録画予約アプリケーションプログラム１１は、要求された録画予約情報をタイマーマイコン部１０９から読み出し（ステップＢ７）、この読み出した録画予約情報を組み入れた録画予約変更用の画面を作成してＷｅｂサーバプログラム１０経由でＷｅｂブラウザプログラム２０に返送する（ステップＢ８）。
【００４６】
その後、Ｗｅｂブラウザプログラム２０からの変更後の録画予約情報をＷｅｂサーバプログラム１０が受け付けると（ステップＢ９）、録画予約アプリケーションプログラム１１は、この受け付けた録画予約情報を変更前の録画予約情報と置き換えるべくタイマーマイコン部１０９に格納し（ステップＢ１０）、その録画予約変更完了をＷｅｂサーバプログラム１０経由でＷｅｂブラウザプログラム２０に通知する（ステップＢ１１）。
【００４７】
このように、この録画再生装置１００は、インターネットＢ経由での録画予約の新規登録・変更を受け付け可能とする。
【００４８】
（第３実施形態）
次に、この発明の第３実施形態について説明する。
【００４９】
この第３実施形態の録画再生装置１００は、前述の第１および第２実施形態で説明した録画予約一覧の閲覧、録画予約の新規登録および変更に加えて、さらに録画予約の削除を受け付け可能とする。つまり、図１０に示すように、ＰＣ２００に標準的に装備されるＷｅｂブラウザプログラム２０を使って、例えば外出先や移動中であっても、録画予約削除要求を送信すること（図１０の（４））ができるようにする。
【００５０】
いま、ＰＣ２００のＷｅｂブラウザプログラム２０は、図８に示した画面を表示中であるものと想定する。ここで、利用者は、例えば予約番号２番の録画予約を削除しようと考えているとする。
【００５１】
この場合、利用者は、この行を指定した状態で画面右上の削除ボタンを選択する。そうすると、その予約番号が付加された削除要求がＷｅｂブラウザプログラム２０からＷｅｂサーバプログラム１０に送信される。そして、録画予約アプリケーションプログラム１１は、その番号に対応する録画予約情報１２をタイマーマイコン部１０９から削除する。また、録画予約アプリケーションプログラム１１は、このタイマーマイコン部１０９からの削除が終了した際、録画予約削除完了を通知するために、当該録画予約が除かれた録画予約一覧を表示するためのＨＴＭＬ情報を作成し、Ｗｅｂサーバプログラム１０を介してＷｅｂブラウザプログラム２０に返送する。図１１は、この時にＰＣ２００に表示される画面を例示する図である。
【００５２】
図１２は、この第３実施形態における録画再生装置１００の録画予約管理に関する動作手順を示すフローチャートである。
【００５３】
Ｗｅｂサーバプログラム１０は、まず、Ｗｅｂブラウザプログラム２０からの録画予約削除要求を受け付ける（ステップＣ１）。そうすると、録画予約アプリケーションプログラム１１が、受け付けた録画予約番号に対応する録画予約情報をタイマーマイコン部１０９から削除し（ステップＣ２）、その録画予約削除完了をＷｅｂサーバプログラム１０経由でＷｅｂブラウザプログラム２０に通知する（ステップＣ３）。
【００５４】
このように、この録画再生装置１００は、インターネットＢ経由での録画予約の削除を受け付け可能とする。
【００５５】
なお、前述した第１乃至第３実施形態では、インターネットＢ経由で録画予約の閲覧、新規登録・変更、削除を受け付け可能とする例を説明したが、いまやＰＣ２００に標準装備されるＷｅｂブラウザプログラム２０によってこれらの操作を行える点が特徴なのであって、必ずしもインターネットＢ経由に限定されるものではない。
【００５６】
つまり本願発明は、前記実施形態に限定されるものではなく、実施段階ではその要旨を逸脱しない範囲で種々に変形することが可能である。更に、前記実施形態には種々の段階の発明が含まれており、開示される複数の構成要件における適宜な組み合わせにより種々の発明が抽出され得る。たとえば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成が発明として抽出され得る。
【００５７】
【発明の効果】
以上説明したように、本発明によれば、例えばインターネット等のネットワーク経由で録画予約を行うこと等を可能とする録画再生装置および録画予約管理方法を提供することができる。
【図面の簡単な説明】
【図１】この発明の実施形態に係る録画再生装置の機器構成を示す図。
【図２】同実施形態の録画再生装置の録画予約管理に関する機能ブロックを示す図。
【図３】同第１実施形態における録画再生装置の録画予約管理に関する動作原理を示す概念図。
【図４】同第１実施形態の録画再生装置で作成される録画予約一覧を例示する図。
【図５】同第１実施形態における録画再生装置の録画予約管理に関する動作手順を示すフローチャート。
【図６】同第２実施形態における録画再生装置の録画予約管理に関する動作原理を示す概念図。
【図７】同第２実施形態の録画再生装置で作成される録画予約登録・変更画面を例示する図。
【図８】同第２実施形態の録画再生装置で作成される録画予約一覧を例示する図。
【図９】同第２実施形態における録画再生装置の録画予約管理に関する動作手順を示すフローチャート。
【図１０】同第３実施形態における録画再生装置の録画予約管理に関する動作原理を示す概念図。
【図１１】同第３実施形態の録画再生装置で作成される録画予約一覧を例示する図。
【図１２】同第３実施形態における録画再生装置１００の録画予約管理に関する動作手順を示すフローチャート。
【符号の説明】
１０…Ｗｅｂサーバプログラム
１１…録画予約アプリケーションプログラム
１２…録画予約情報
２０…Ｗｅｂブラウザプログラム
１００…録画再生装置
１０１…ＡＶ入力部
１０２…ＴＶチューナ
１０３…エンコーダ部
１０４…ディスクドライブ部
１０５…ＭＰＵ
１０６…デコーダ部
１０７…ＡＶ出力部
１０８…表示部
１０９…タイマーマイコン部
１１０…ユーザ操作入力部
１１１…メモリ
１１２…通信制御部
２００…パーソナルコンピュータ
１０４１…ディスクドライブ
１０４２…一時記録部
Ａ…ディスク
Ｂ…インターネット
【図１】
2004186826.tif 000003
【図２】
2004186826.tif 000004
【図３】
2004186826.tif 000005
【図４】
2004186826.tif 000006
【図５】
2004186826.tif 000007
【図６】
2004186826.tif 000008
【図７】
2004186826.tif 000009
【図８】
2004186826.tif 000010
【図９】
2004186826.tif 000011
【図１０】
2004186826.tif 000012
【図１１】
2004186826.tif 000013
【図１２】
2004186826.tif 000014